(57)【特許請求の範囲】
【請求項１】
対象機器の取付部に対してスライドさせて着脱可能な電池パックであって、
バッテリセルと、
前記バッテリセルを制御するための制御回路基板と、
前記対象機器の取付部に電池パックを係合させるためのラッチ機構と、
を備え、
前記ラッチ機構は、前記対象機器の取付部との接触面において出没可能に配置されるストッパと、前記ストッパと前記対象機器の取付部との係合解除操作を行うためのラッチ操作部と、を有し、
前記制御回路基板は、前記対象機器への電力供給に使用する接続端子を設けたメイン部と、前記バッテリセルの情報を表示するための情報表示部と、を有し、
前記制御回路基板は、前記情報表示部が電池パックの取り外し方向側の面において視認可能となるように配設されるとともに、前記メイン部と前記情報表示部との間に切欠きが形成され、該切欠きの内部を通過するように前記ラッチ機構が配設されていることを特徴とする、電池パック。
【発明の詳細な説明】
【技術分野】
【０００１】
本発明は、電動工具等の電源として電動工具や充電器等の対象機器に着脱自在に設けられる電池パックに関する。
【背景技術】
【０００２】
従来、電動工具等の電源として用いられる電池パックは、電動工具のグリップ部や充電器に着脱可能となっており、装着により電池パックのプラス及びマイナスの端子が、上記電動工具や充電器等の対象機器に設けられた端子と接触するように構成されている。
【０００３】
また、このような電池パックの取り付け構造として、電池パックを電動工具の取付部に対してスライドさせて装着するものが知られている。このようなスライド式の取り付け構造においては、特許文献１に示されるように、電池パックに係止フックを設け、この係止フックを電動工具の取付部に係止させることで、電池パックを取付部に取り付けることが一般的である。
【０００４】
そして、電池パックを取り外す際には、所定の操作によって係止フックの係合を解除するように形成する。例えば、この特許文献１記載の構造においては、係止解除ボタンを電池パックの両側部に設け、係止解除ボタンを電池パックの内側に押し込み操作したときに係止フックが係止解除方向に移動するようにしている。詳しくは、係止解除ボタンの傾斜した内側面が係止フックの受け部に当接し、これにより、傾斜係止解除ボタンが押し込み操作されたときに係止解除ボタンの内側面上を係止フックの受け部が摺動して、係止フックを係止解除方向に移動させるように形成している。
【０００５】
また、電池の残量を表示するための残量表示部を設けることも一般に行われている。こうした残量表示部を電池パック内に設ける場合、電池パックの端子等を設けた基板上にＬＥＤなどを配設し、このＬＥＤを外部から視認可能とすることが一般的である。
【先行技術文献】
【特許文献】
【０００６】
【特許文献１】特開２００８−１０３１４４号公報
【発明の概要】
【発明が解決しようとする課題】
【０００７】
上記した特許文献１記載のような構造においては、操作性の観点から、係止解除ボタンや係止フックを電池パックの前方（操作者に臨む面）に設けることが望ましい。
【０００８】
また、電池の残量などの情報を表示するための情報表示部を設ける際にも、視認性の観点から、情報表示部を電池パックの前方（操作者に臨む面）に設けることが望ましい。
【０００９】
しかしながら、情報表示部を電池パックの前方に設けた場合、係止解除ボタンや係止フックを後方にずらして配置したり、基板を小さくしたりしなければ、基板と係止解除ボタン等とが干渉してしまうという問題があった。
【００１０】
なお、情報表示部を、端子等を設けたメイン基板上に配設せず別の小さなサブ基板上に配設し、このサブ基板のみを電池パックの前方に設ける方法も考えられるが、この方法では部品点数が増えるため、コストが増大するという問題がある。
【００１１】
そこで、本発明は、メイン基板上に情報表示部を設けた電池パックにおいて、情報表示部とラッチ機構とをいずれも前方に配置したとしても、ラッチ機構の自由度や基板の大きさなどを極力制限することなくスペースを有効活用できる電池パックを提供することを課題とする。
【課題を解決するための手段】
【００１２】
本発明は、上記した課題を解決するためになされたものであり、以下を特徴とする。
【００１３】
（請求項１）
請求項１に記載の発明は、以下の点を特徴とする。
【００１４】
すなわち、請求項１に記載の電池パックは、電動工具等の対象機器の取付部に対してスライドさせて着脱可能な電池パックであって、バッテリセルと、前記バッテリセルを制御するための制御回路基板と、前記対象機器の取付部に電池パックを係合させるためのラッチ機構と、を備え、前記ラッチ機構は、前記対象機器の取付部との接触面において出没可能に配置されるストッパと、前記ストッパと前記対象機器の取付部との係合解除操作を行うためのラッチ操作部と、を有し、前記制御回路基板は、前記対象機器への電力供給に使用する接続端子を設けたメイン部と、前記バッテリセルの情報を表示するための情報表示部と、を有し、前記制御回路基板は、前記情報表示部が電池パックの取り外し方向側の面において視認可能となるように配設されるとともに、前記メイン部と前記情報表示部との間に前記ラッチ機構との干渉を避けるための切欠きが形成され、該切欠きの内部を通過するように前記ラッチ機構が配設されていることを特徴とする。
【発明の効果】
【００１５】
本発明は上記の通りであり、制御回路基板は、対象機器への電力供給に使用する接続端子を設けたメイン部と、バッテリセルの情報を表示するための情報表示部と、を有しているため、情報表示部用の基板を設けていないので、部品点数を増やす必要がなく、コストを抑制できる。また、メイン基板と情報表示部用の基板が一体であり基板全体としての強度が確保され、またメイン基板と情報表示部用の基板とをつなぐ線の断線などを考慮する必要がない。
【００１６】
また、メイン部と情報表示部との間に切欠きが形成され、該切欠きの内部を通過するようにラッチ機構が配設されているため、ラッチ機構を電池パックの取り外し方向寄りに配設した場合でもラッチ機構と基板とが干渉しない。よって、ラッチ機構の操作性と情報表示部の視認性とを両立することができるとともに、情報表示部を設けたことによるラッチ機構の自由度の制限を最小限に抑えることができる。
【図面の簡単な説明】
【００１７】
【図１】電池パックを取り付けた電動工具の外観斜視図である。
【図２】電動工具の取付部を示す図である。
【図３】電池パックの外観斜視図である。
【図４】電池パックの分解図である。
【図５】基板（電子部品含まず）の平面図である。
【図６】電池パックの内部構造を示す図である。
【図７】電池パックの平面図である。
【図８】通常時の電池パックを示す図であって、（ａ）Ａ−Ａ断面図、（ｂ）Ｂ−Ｂ断面図、（ｃ）Ｃ−Ｃ断面図である。
【図９】通常時の蓋部材と係合部材との関係を示す、電池パック上部の一部斜視断面図である。
【図１０】係合部材が摺動した時の電池パックを示す図であって、（ａ）Ａ−Ａ断面図、（ｂ）Ｂ−Ｂ断面図、（ｃ）Ｃ−Ｃ断面図である。
【図１１】係合部材が摺動した時の蓋部材と係合部材との関係を示す、電池パック上部の一部斜視断面図である。
【図１２】係合部材が揺動した時の電池パックを示す図であって、（ａ）Ａ−Ａ断面図、（ｂ）Ｂ−Ｂ断面図、（ｃ）Ｃ−Ｃ断面図である。
【図１３】係合部材が揺動した時の蓋部材と係合部材との関係を示す、電池パック上部の一部斜視断面図である。
【図１４】電池パックを電動工具に取り付ける様子を示す図であって、（ａ）Ｂ−Ｂ断面図、（ｂ）Ｃ−Ｃ断面図である。
【図１５】電池パックを電動工具に取り付けた状態を示す図であって、（ａ）Ｂ−Ｂ断面図、（ｂ）Ｃ−Ｃ断面図である。
【図１６】電池パックを電動工具から取り外す様子を示す図であって、（ａ）Ｂ−Ｂ断面図、（ｂ）Ｃ−Ｃ断面図である。
【発明を実施するための形態】
【００１８】
本発明の実施形態について、電動工具１００としての電動回転工具を例にして、説明する。
【００１９】
本実施形態に係る電動工具１００及び電池パック１０は、図１に示すように、互いに着脱可能に形成されている。すなわち、電動工具１００のグリップの下端部には、電池パック１０を取り付けるための取付部１０１が形成されており、グリップの下端面と電池パック１０の上端面とが接触するように電池パック１０を取り付け可能となっている。
【００２０】
電動工具１００の取付部１０１は、図２に示すように、グリップの下端部に設けられた底盤１０２と、この底盤１０２の両側に設けられた側下垂部１０３と、を備えている。
【００２１】
底盤１０２は、下面に沿って電池パック１０の上面を摺動させるためのものであり、先端部１０２ａ付近の底面には、電池パック１０を掛止するための被係合部１０６が凹設されている。被係合部１０６は、断面略Ｖ字状の窪みであり、先端部１０２ａ側の面が略垂直に形成されるとともに、反先端部１０２ａ側の面が傾斜して形成されている。また、この底盤１０２の底面には、電池パック１０の接続端子５１ａと接続されて電力供給等を受けるための機器側端子１０７が設けられている。
【００２２】
側下垂部１０３は、底盤１０２の左右両端縁から下方に突出するように設けられており、電池パック１０を取り付けたときに電池パック１０の上側部に対して外側から当接するように形成されている。この側下垂部１０３の下端縁は、内側に突出して案内凸条１０４を形成しており、これにより、案内凸条１０４の上部にスライド溝１０５を形成している。この案内凸条１０４及びスライド溝１０５は、電池パック１０の上側部に設けられたガイドレール部２１及び溝２２（後述）とスライド可能に係合させるためのものである。
【００２３】
一方、本実施形態に係る電池パック１０は、図３に示すように、上記した案内凸条１０４及びスライド溝１０５と係合するガイドレール部２１及び溝２２が上側部に形成されている。このガイドレール部２１及び溝２２は、電池パック１０の表面に両側に形成されており、このガイドレール部２１及び溝２２が設けられていることによって電池パック１０を電動工具１００の取付部１０１に対してスライドさせて着脱可能となっている。すなわち、ガイドレール部２１が外側に突出することによりガイドレール部２１の下部に溝２２を形成しており、この溝２２の開口端側から案内凸条１０４を差し込むことにより、案内凸条１０４及びスライド溝１０５とガイドレール部２１及び溝２２とが係合した状態で電池パック１０をスライドさせることができる。
【００２４】
また、この電池パック１０の上面には、前述した被係合部１０６と係合するストッパ３１が突出方向に付勢されている。このストッパ３１は、ガイドレール部２１及び溝２２の延設方向と直交する方向に出没するように設けられている。これにより、ストッパ３１と被係合部１０６とが係合する方向に、電池パック１０を所定の位置までスライドさせると、ストッパ３１が被係合部１０６に嵌り込み、電池パック１０が取付部１０１にしっかりと固定されるようになっている。
【００２５】
なお、取付部１０１に固定された電池パック１０を取り外す際には、ラッチ操作部４２を電池パック１０の内方に押し込み操作する必要がある。詳しくは後述するが、このラッチ操作部４２は、図３に示すように、電池パック１０の両側に相対するように２つ設けられている。
【００２６】
また、この電池パック１０の前面（電池パック１０の取り外し方向側の面）には、情報表示としての残量表示パネル２８が設けられている。残量表示パネル２８は、押下可能に弾性を持つボタン部２８ａと、透光性の素材を使用したＬＥＤ窓２８ｂと、を備えている。
【００２７】
ボタン部２８ａは、後述する表示スイッチ５２ｂの前部にくるように配置されており、このボタン部２８ａをユーザが押下することで、後部の表示スイッチ５２ｂの接点がオンになり、制御回路基板５０に信号が出力される。なお、信号を受信した制御回路基板５０は、バッテリセル１２の残量をチェックし、情報表示の一例として残量に応じた残量表示を行う。
【００２８】
ＬＥＤ窓２８ｂは、本実施形態においては３つ設けられており、それぞれが後述するＬＥＤ５２ａの前部にくるように配置されている。表示スイッチ５２ｂの接点がオンになり、制御回路基板５０に信号が出力されると、制御回路基板５０はバッテリセル１２の残量に合わせてＬＥＤ５２ａを点灯させるが、このＬＥＤ５２ａの光はＬＥＤ窓２８ｂを介して外部から視認可能となっている。
【００２９】
図４は、上記した電池パック１０の分解図である。この図４が示すように、電池パック１０は、複数の電池１３を接続して形成したバッテリセル１２、このバッテリセル１２を収容するケース本体１１、前記ケース本体１１の上部を覆う蓋部材２０、前記したストッパ３１を有する係合部材３０、前記係合部材３０を付勢するための押上部材３６、前記押上部材３６に対して付勢力を与える第１バネ３７、前記係合部材３０の作動を規制するための作動規制部材４０、バッテリセル１２を制御するための制御回路基板５０、を備えて構成されている。
【００３０】
蓋部材２０は、電池パック１０の上部を覆う部材であり、ケース本体１１に対してネジ固定されることによって他部材を収容するケースを形成するものである。この蓋部材２０の両側部には、図４に示すように、前述したガイドレール部２１や溝２２が形成されている。また、このガイドレール部２１及び溝２２の終端部の延長線上には、前述したラッチ操作部４２を外部に露出させるための操作用開口２３が切欠かれて形成されている。また、上面には、前述したストッパ３１を突出させるためのラッチ口２４が開口している。また、蓋部材２０び前面には、前述した残量表示パネル２８が設けられている。
【００３１】
係合部材３０は、図４に示すように、上部に山形に突出するストッパ３１と、ストッパ３１の後方に延設されたアーム３２と、ストッパ３１の下方に設けられた下垂部３３と、を備えた部材である。ストッパ３１は、前方の面が傾斜して形成されるとともに、後方が略垂直な面として形成されている。また、下垂部３３は、下端に行くに従って後方に湾曲しており、突端３３ａが後方に設けられた当接部４１（後述）に臨むように配置される。
【００３２】
押上部材３６は、図４に示すように、上部の先端３６ａが曲面に形成された棒状の部材である。この押上部材３６は、曲面に形成された先端３６ａが係合部材３０と当接するとともに、下端に設けられた第１バネ３７によって上方に付勢されており、間接的に係合部材３０を上方へと付勢している。これにより、係合部材３０のストッパ３１は、ラッチ口２４から突出する方向へと付勢されており、電動工具１００の取付部１０１との接触面において出没可能に配置されている。なお、第１バネ３７の下端は、ケース本体１１に設けられた第１バネ受け部１１ａに支持されている。
【００３３】
作動規制部材４０は、係合部材３０の作動を規制するための部材であり、図４に示すように、操作用開口２３から操作可能に露出するラッチ操作部４２と、ラッチ操作部４２の内側に延出するように設けられた当接部４１と、ラッチ操作部４２の下方に設けられた支軸部４３と、を備えている。この作動規制部材４０は、ケース本体１１に設けられた作動規制部材受け部１１ｃに対して支軸部４３が回動可能に軸支されている。また、この作動規制部材４０は、当接部４１付近が第２バネ３８によって上方に付勢されており、通常時においてはラッチ操作部４２が略垂直となる姿勢を保っている。この状態からラッチ操作部４２を内方へと押し込み操作すれば、第２バネ３８の付勢力に抗ってラッチ操作部４２の上部が内側に倒れるように回動し、同時に当接部４１が下方に変位するように形成されている。このようにラッチ操作部４２を操作することで、前述したストッパ３１と電動工具１００の取付部１０１との係合解除を行うことができるように形成されている。なお、第２バネ３８の下端は、ケース本体１１に設けられた第２バネ受け部１１ｂに支持されている。
【００３４】
本実施形態においては、上記した係合部材３０、押上部材３６、作動規制部材４０などの部材によって、電動工具１００の取付部１０１に電池パック１０を係合させるためのラッチ機構が構成されている。このラッチ機構は、ユーザの操作性の観点から前側（電池パック１０の取り外し方向寄り）に配設されている。
【００３５】
制御回路基板５０は、蓋部材２０とバッテリセル１２との間に配設される基板であり、図４及び図５に示すように、電動工具１００への電力供給に使用する接続端子５１ａを設けたメイン部５１と、バッテリセル１２の残量を表示するための残量表示部５２と、を有している。
【００３６】
メイン部５１は、制御回路基板５０の大部分を占める領域であり、上述した接続端子５１ａのほかにも、バッテリセル１２の充放電を制御するための各種の電子部品が実装されている。なお、このメイン部５１に実装された接続端子５１ａは、蓋部材２０の上面に形成された接続部２０ａのスリットの内側に配設されており、この接続部２０ａのスリットから電動工具１００の機器側端子１０７が入り込むことで、電動工具１００の機器側端子１０７と接続可能となっている。
【００３７】
残量表示部５２は、バッテリセル１２の残量を表示する３つのＬＥＤ５２ａと、バッテリセル１２の残量を表示するトリガとなる表示スイッチ５２ｂと、を備えている。表示スイッチ５２ｂが押下されると、バッテリセル１２の残量がチェックされ、その結果に応じてＬＥＤ５２ａが点灯する。例えば、残量が十分にある場合にはＬＥＤ５２ａが３つすべて点灯し、残量がおおよそ半分以下の場合にはＬＥＤ５２ａが２つ点灯し、残量がほとんどない場合にはＬＥＤ５２ａが１つだけ点灯するなどの制御が行われる。
【００３８】
この制御回路基板５０は、残量表示部５２が前側にくるように電池パック１０の内部に配設され、これにより、残量表示部５２が電池パック１０の前面に臨むように配設されている。上述したように、残量表示部５２の前には残量表示パネル２８が位置しているため、ＬＥＤ５２ａの光はＬＥＤ窓２８ｂを介して電池パック１０の取り外し方向側の面（前面）において視認可能となっている。
【００３９】
また、この制御回路基板５０には、図５に示すように、メイン部５１と残量表示部５２との間に切欠き５３が形成されている。この切欠き５３は、ラッチ機構と制御回路基板５０との干渉を避けるためのものであり、図６に示すように、この切欠き５３の内部を通過するようにラッチ機構を配設することで、ラッチ機構と制御回路基板５０とが干渉しないように形成されている。本実施形態においては、図８等に示すように、係合部材３０や押上部材３６の一部が切欠き５３の内部を通過するように配設されている。
【００４０】
ところで、上記した係合部材３０は、電池パック１０の内部において摺動可能かつ揺動可能に支持されている。
【００４１】
すなわち、係合部材３０は、図８（ｃ）及び図９に示すように、前方を蓋部材２０の支持壁２５にサポートされるとともに、後方を当接部４１にサポートされており、更に、係合部材３０の下方には係合部材３０が摺動可能な空間としての摺動スペース１０ａが設けられている。これにより、係合部材３０は、図１０及び図１１に示すように、支持壁２５と当接部４１との間を上下に摺動可能となっている。なお、通常時においては、係合部材３０は押上部材３６（第１バネ３７）によって上方へと付勢され、ストッパ３１が前記取付部１０１に対して係合可能となるように付勢されている。そして、この付勢力に抗って係合部材３０を摺動させることにより、図１０及び図１１に示すように、ストッパ３１がラッチ口２４の内部に没入して退避可能に形成されている。
【００４２】
また、係合部材３０は、図８（ｃ）に示すように、通常時においては、作動規制部材４０の当接部４１が係合部材３０の下垂部３３の突端３３ａに臨む位置に配置されることにより揺動が規制されているものの、当接部４１が変位することで揺動可能なものである。すなわち、図１２（ｃ）に示すように、係合部材３０の下垂部３３の突端３３ａの後方には、係合部材３０が揺動可能な空間としての揺動スペース１０ｂが設けられている。これにより、ラッチ操作部４２を内方へと押し込み操作して当接部４１を下方に変位させ、係合部材３０の揺動の規制が解除されたときに、係合部材３０は揺動可能となるように形成されている。このとき、係合部材３０は、図１３に示すように回動軸部３２ａを支点として揺動する。すなわち、係合部材３０は、蓋部材２０の縦溝２７の側面に位置する係合部材受け部２６に回動軸部３２ａが軸支されていることにより、後端部を支点として揺動する。これにより、ストッパ３１がラッチ口２４の内部に没入して退避するように形成されている。このとき、係合部材３０は、第１バネ３７の付勢力に抗って押上部材３６をやや下方に押しつけながら揺動する。押上部材３６の先端３６ａが曲面となっているのは、係合部材３０が揺動する際の摺動抵抗を小さくして、係合部材３０の揺動をスムーズにするためである。
【００４３】
次に、上記した電池パック１０を電動工具１００に取り付ける様子について説明する。
【００４４】
図１４に示すように、電池パック１０を取付部１０１に対して取り付け方向Ｄ１にスライドさせると、取付部１０１の先端部１０２ａがストッパ３１の傾斜面３１ａに当接し、この傾斜面３１ａをスライド方向に押圧する。このスライド方向に加えられた力は、ストッパ３１の傾斜面３１ａによってストッパ３１を退避させる方向（下向き）の力に変換され、ストッパ３１が内方へと押し込まれる。更に電池パック１０を取り付け方向Ｄ１にスライドさせると、ストッパ３１は完全にラッチ口２４の内部に没入して退避させられる。
【００４５】
更に電池パック１０を取り付け方向Ｄ１にスライドさせ、ストッパ３１が被係合部１０６の位置に来るまでスライドさせると、ストッパ３１が取付部１０１（被係合部１０６）に対して係合可能となるように付勢されているため、図１５に示すように、被係合部１０６に対してストッパ３１が係合し、取り付けが完了する。
【００４６】
なお、ストッパ３１の後面は略垂直であるため、電池パック１０を取り外し方向Ｄ２にスライドさせる力が働いたとしても、このスライド方向に働く力がストッパ３１を退避させる方向の力に変換される（下向きの分力が加わる）ことはない。このため、係合部材３０の揺動が規制されている状態においてはストッパ３１を退避させることはできないため、電池パック１０が取付部１０１から外れることはない。
【００４７】
次に、上記した電池パック１０を電動工具１００から取り外す様子について説明する。
【００４８】
電池パック１０を電動工具１００から取り外す際には、まずラッチ操作部４２を操作して係合部材３０の揺動の規制を解除する。
【００４９】
係合部材３０の揺動の規制を解除した上で電池パック１０を取付部１０１から取り外す方向Ｄ２にスライドさせると、図１６に示すように、取付部１０１の被係合部１０６の後部（取り外し方向Ｄ２に見れば前部）がストッパ３１の垂直面３１ｂに当接してスライド方向に押圧する。これにより、係合部材３０が揺動し、ストッパ３１が内方へと押し込まれる。更に電池パック１０を取り外し方向Ｄ２にスライドさせると、ストッパ３１は完全にラッチ口２４の内部に没入して退避させられる。これにより、被係合部１０６とストッパ３１とのが係合が解除され、電池パック１０を取付部１０１から取り外すことができる。なお、取り外しが完了すれば、第１バネ３７の付勢力により、係合部材３０は図８に示すような通常時の位置に戻る。
【００５０】
本実施形態は上記の通りであり、制御回路基板５０は、電動工具１００への電力供給に使用する接続端子５１ａを設けたメイン部５１と、バッテリセル１２の残量を表示するための残量表示部５２と、を有しているため基板全体としての強度が確保され、残量表示部５２用の基板を設けていないので、部品点数を増やす必要がなく、コストを抑制できる。また、メイン基板と残量表示部５２用の基板とをつなぐ線の断線などを考慮する必要がない。
【００５１】
また、メイン部５１と残量表示部５２との間に切欠き５３が形成され、該切欠き５３の内部を通過するようにラッチ機構が配設されているため、ラッチ機構を電池パック１０の取り外し方向寄りに配設した場合でもラッチ機構と制御回路基板５０とが干渉しない。よって、ラッチ機構の操作性と残量表示部５２の視認性とを両立することができるとともに、残量表示部５２を設けたことによるラッチ機構の自由度の制限を最小限に抑えることができる。
【００５２】
なお、上記した実施形態においては、ラッチ操作部４２の操作によってストッパ３１が揺動可能となるラッチ機構を例に挙げたが、本発明の実施形態としてはこれに限らない。例えば、ラッチ操作部４２の操作によってストッパ３１が直接的に揺動又は摺動することにより、ストッパ３１と取付部１０１との係合解除を行うような態様としてもよい。
【００５３】
また、上記した実施形態においては、制御回路基板５０に孔状の切欠き５３を設けることとしているが、本発明の実施形態としてはこれに限らず、一部が開放したような形状の切欠き５３を設けて、この切欠き５３の内部を通過するようにラッチ機構を配設してもよい。
【００５４】
また、上記した実施形態においては、ラッチ機構のうちで係合部材３０や押上部材３６の一部が切欠き５３の内部を通過することしたが、本発明の実施形態としてはこれに限らない。すなわち、ラッチ機構の構造や制御回路基板５０の形状に応じて、適宜切欠き５３の形状や切欠き５３を通過するラッチ機構の部位を調整すればよい。
【００５５】
また、上記した実施形態においては、蓋部材２０の上面のラッチ口２４からストッパ３１を突出させて、取付部１０１の被係合部１０６と係合させる構成としたが、これに限らない。例えば、蓋部材２０の両側の溝２２の位置にストッパ３１を突出させた構成にするとともに、取付部１０１のスライド溝１０５に被係合部１０６を設けることによって、ストッパ３１と被係合部１０６とを係合させる構成としてもよい。この態様においても、ラッチ操作部４２でストッパ３１を退避可能に構成すればよい。
【００５６】
また、上記した実施形態においては、ラッチ操作部４２を電池パック１０の両側に設けたが、これに限らず、側部以外の位置にラッチ操作部４２を配置してもよい。
【００５７】
また、上記した実施形態においては、ラッチ操作部４２は押し込み操作により作動することとしたが、これに限らない。例えば、ラッチ操作部４２を上下にスライドさせたり、回動させたりすることによってストッパ３１と取付部１０１との係合解除を行うような態様としてもよい。
【符号の説明】
【００５８】
１０  電池パック
１０ａ  摺動スペース
１０ｂ  揺動スペース
１１  ケース本体
１１ａ  第１バネ受け部
１１ｂ  第２バネ受け部
１１ｃ  作動規制部材受け部
１２  バッテリセル
１３  電池
２０  蓋部材
２０ａ  接続部
２１  ガイドレール部
２２  溝
２３  操作用開口
２４  ラッチ口
２５  支持壁
２６  係合部材受け部
２７  縦溝
２８  残量表示パネル
２８ａ  ボタン部
２８ｂ  ＬＥＤ窓
３０  係合部材
３１  ストッパ
３１ａ  傾斜面
３１ｂ  垂直面
３２  アーム
３２ａ  回動軸部
３３  下垂部
３３ａ  突端
３６  押上部材
３６ａ  先端
３７  第１バネ
３８  第２バネ
４０  作動規制部材
４１  当接部
４２  ラッチ操作部
４３  支軸部
５０  制御回路基板
５１  メイン部
５１ａ  接続端子
５２  残量表示部（情報表示部）
５２ａ  ＬＥＤ
５２ｂ  表示スイッチ
５３  切欠き
１００  電動工具
１０１  取付部
１０２  底盤
１０２ａ  先端部
１０３  側下垂部
１０４  案内凸条
１０５  スライド溝
１０６  被係合部
１０７  機器側端子
Ｄ１  取り付け方向
Ｄ２  取り外し方向
【図１】
0005928018.tif 000002
【図２】
0005928018.tif 000003
【図３】
0005928018.tif 000004
【図４】
0005928018.tif 000005
【図５】
0005928018.tif 000006
【図６】
0005928018.tif 000007
【図７】
0005928018.tif 000008
【図８】
0005928018.tif 000009
【図９】
0005928018.tif 000010
【図１０】
0005928018.tif 000011
【図１１】
0005928018.tif 000012
【図１２】
0005928018.tif 000013
【図１３】
0005928018.tif 000014
【図１４】
0005928018.tif 000015
【図１５】
0005928018.tif 000016
【図１６】
0005928018.tif 000017